(57)【要約】【課題】場所に応じて機能の少なくとも一部を制限することができるカメラを提供する。【解決手段】デジタルスチルカメラ１００がテーマパークＴＰより外部へと持ち出されたような場合、ＣＰＵ１１は、テーマパークＴＰ外（所定の領域外）であると判断するので、それに応じてメイン電源を遮断し、ＣＰＵ１１の制御に基づくデジタルスチルカメラ１００の全機能を停止させる。それにより不正な使用が制限され、レンタル提供されたデジタルスチルカメラ１００の回収率が増大する。【選択図】    図４
2004153599.tif 000002
【特許請求の範囲】
【請求項１】
カメラにおいて、
光学像を画像情報に変換して取得する撮像部と、
前記カメラが所定の領域外に存在すると判断したときは、それに応じて前記カメラの全機能を停止させる制御手段と、
前記カメラの全機能を停止させた後、前記カメラが所定の領域内へと移動したと判断したときは、それに応じて前記カメラの全機能の停止を解除する副制御手段と、を有することを特徴とするカメラ。
【請求項２】
カメラにおいて、
光学像を画像情報に変換して取得する撮像部と、
前記カメラが所定の領域外に存在すると判断したときは、それに応じて前記カメラの所定の機能のみを有効とする制御手段と、を有することを特徴とするカメラ。
【請求項３】
前記制御手段は、前記カメラが所定の領域内に存在すると判断したときは、前記カメラの全機能を有効とすることを特徴とする請求項２に記載のカメラ。
【請求項４】
前記制御手段は、前記カメラが所定の領域内へと移動したと判断したときは、それに応じて前記カメラの所定の機能以外の機能を有効とする制御機能を含むことを特徴とする請求項２又は３に記載のカメラ。
【請求項５】
前記カメラは画像表示部を有し、前記カメラの所定の機能は、前記画像表示部における画像表示機能を含むことを特徴とする請求項２乃至４のいずれかに記載のカメラ。
【請求項６】
前記所定の機能は、前記撮像部による所定枚数までの画像の撮影機能を含むことを特徴とする請求項２乃至５のいずれかに記載のカメラ。
【請求項７】
前記カメラは、画像情報を記憶できる記憶媒体を着脱可能となっており、前記所定の機能は、前記カメラに装着された前記記憶媒体の離脱を禁止する禁止機能を含むことを特徴とする請求項２乃至６のいずれかに記載のカメラ。
【発明の詳細な説明】
【０００１】
【発明の属する技術分野】
本発明は、カメラに関し、特に場所に応じて機能の少なくとも一部を制限することができるカメラに関する。
【０００２】
【従来の技術】
例えば、テーマパーク内でカメラをレンタル提供し、ユーザーが、そのテーマパーク内では、かかるカメラを自由に使用して撮影を行い、そのカメラをレンタル提供者に返却することで、所定の料金と引き替えに撮影した画像のプリント又は画像情報を記憶したメモリカードを持ち帰ることができるようにするレンタルサービスが考えられる。しかるに、かかるカメラが返却されずにテーマパーク外に持ち出されると、レンタル提供者は意図した元価（利益）を回収できず、レンタル提供者、ひいては正当に使用を行ったユーザーの利益が損なわれる恐れがある。
【０００３】
このような問題に対し、例えばレンタル提供されたカメラが通過すると反応する窃盗防止用のアンテナをテーマパークの出口に設けて、かかるカメラがテーマパーク外へ持ち出されることを阻止することも考えられる。しかしながら、誤ってカメラを持ち出したユーザーに対しても、疑いの目を向けるという行為は、夢を与えるというテーマパークの趣旨からして、必ずしもふさわしいこととはいえず、折角テーマパークを楽しんだ来場者に不快感を与え、再度入場しようという意欲を失わせる恐れもある。又、来場者によっては、昼食などをテーマパーク外で摂る場合もあるが、その際にレンタル提供されたカメラを、わざわざレンタル提供者に返却するのは手間がかかる。
【０００４】
【発明が解決しようとする課題】
以下の特許文献１には、所定の区域内にある場合に、特定の撮影モードを設定するカメラが開示されている。又、以下の特許文献２には、ＧＰＳ装置により検出した現在位置と月日とにより日の出・日の入りの時間を求めて、ストロボ発光の有無を判断するカメラが開示されているが、いずれもカメラの現在位置が所定の区域にある場合、撮影モードを変更する機能を有するのみであり、例えばテーマパーク内でレンタル提供されたカメラが外部に持ち出されることを、一般来場者に不快感を与えることなく達成できるものではない。
【特許文献１】
特開平７−１３２２５号公報
【特許文献１】
特開平６−１８０４７０号公報
【０００５】
本発明は、かかる従来技術の問題点に鑑みてなされたものであり、場所に応じて機能の少なくとも一部を制限することができるカメラを提供することを目的とする。
【０００６】
【課題を解決するための手段】
上述の目的を達成すべく、第１の本発明のカメラは、カメラにおいて、光学像を画像情報に変換して取得する撮像部と、前記カメラが所定の領域外に存在すると判断したときは、それに応じて前記カメラの全機能を停止させる制御手段と、前記カメラの全機能を停止させた後、前記カメラが所定の領域内へと移動したと判断したときは、それに応じて前記カメラの全機能の停止を解除する副制御手段と、を有するので、例えばテーマパーク内で前記カメラがレンタル提供されたときに、前記制御手段は、所定の領域（テーマパーク等）に前記カメラが存在する場合、それを判断して、前記カメラが全機能を有効に発揮できるように制御する一方で、前記所定の領域外へと前記カメラが持ち出された場合、それを判断して、前記カメラの全機能を停止させるように制御するため、前記カメラを所定の領域外に持ち出して不正な使用を行おうとする者が減り、レンタル提供者等の利益保護が図れる。又、例えば食事などのために、前記カメラを所持したままテーマパーク外に一旦出たとしても、再度入場すれば、前記副制御手段が、前記カメラの全機能の停止を解除するため、ユーザーは、レンタル提供者に立ち寄って停止解除を依頼することなく使用を続行できる。尚、「カメラが所定の領域外に存在することの判断」としては、屋外であれば公知のＧＰＳ装置等、屋内であれば電波を送信することでアンテナとの位置関係が分かるシステムを用いて行うことが考えられる。又、「カメラの全機能を停止する」とは、例えばメイン電源の遮断が考えられるが、かかる場合も副制御手段には、電力が供給されているものとする。
【０００７】
第２の本発明のカメラは、カメラにおいて、光学像を画像情報に変換して取得する撮像部と、前記カメラが所定の領域外に存在すると判断したときは、それに応じて前記カメラの所定の機能のみを有効とする制御手段と、を有するので、例えばテーマパーク内で前記カメラがレンタル提供されたようなときに、前記制御手段は、所定の領域（テーマパーク等）に前記カメラが存在する場合、それを判断して、前記カメラが全機能を有効に発揮できるように制御する一方で、前記所定の領域外へと前記カメラが持ち出された場合、それを判断して、前記所定の機能以外の例えば前記カメラの撮影機能を停止させるように制御するため、前記カメラを所定の領域外に持ち出して不正な使用を行おうとする者が減り、レンタル提供者等の利益保護が図れる。
【０００８】
又、前記制御手段は、前記カメラが所定の領域内に存在すると判断したときは、前記カメラの全機能を有効とすると、例えばテーマパーク内などで、ユーザーは前記カメラの機能をフルに使って撮影を行えるため好ましい。
【０００９】
更に、前記制御手段は、前記カメラが所定の領域内へと移動したと判断したときは、それに応じて前記カメラの所定の機能以外の機能を有効とする制御機能を含むと、例えば食事などのために、前記カメラを所持したままテーマパーク外に一旦出たとしても、再度入場すれば、前記カメラの全機能が使用可能となるため、ユーザーは、レンタル提供者に立ち寄ることなく使用を続行できる。
【００１０】
又、前記カメラは画像表示部を有し、前記カメラの所定の機能は、前記画像表示部における画像表示機能を含むと好ましい。例えば昼食時に、ユーザーが午前中撮影した画像を確認したい場合があるからである。
【００１１】
更に、前記所定の機能は、前記撮像部による所定枚数までの画像の撮影機能を含むと好ましい。昼食時などのシーンをユーザーが若干枚、撮影したい場合もあるからである。
【００１２】
又、前記カメラは、画像情報を記憶できる記憶媒体を着脱可能となっており、前記所定の機能は、前記カメラに装着された前記記憶媒体の離脱を禁止する禁止機能を含むと好ましい。前記カメラから前記記憶媒体が離脱されることが許容されると、離脱された前記記憶媒体より不正な読み取りが行われる恐れがあるからである。
【００１３】
【発明の実施の形態】
以下、図面を参照して本発明の実施の形態にかかるカメラを詳細に説明する。図１は、本発明を適用した電子カメラの一例であるデジタルスチルカメラｌ００の一実施の形態を示す外観図であり、図１（ａ）はデジタルスチルカメラ１００の前面斜視図、図１（ｂ）は背面斜視図である。
【００１４】
図１において、デジタルスチルカメラ１００の前面に、被写体を撮像するための撮像部２４、被写体に補助光を発光する補助光発光部３０、撮影者が覗くことで被写体を含む構図を確認できる光学式ファインダー２５を備え、その背面に、撮影画像等を表示する画像表示部８、撮影設定状況等を表示する情報表示部（いわゆるステイタスＬＣＤ）２６、各種機能の設定、切換を操作するための操作ＳＷ（スイッチ）２１を備え、更にデジタルスチルカメラ１００の上面に、シャッターレリーズを行うためのレリーズスイッチ２１ａを備えて構成される。なお、各構成部における詳細な説明は、後述する機能的構成の説明と併せて記載する。閃光発光部は、ポップアップタイプのため図示されていない。又、図１では図示していないが、デジタルスチルカメラ１００の底部には、記憶媒体であるライトワンス・メモリを装着するためのメモリスロットが設けられている。
【００１５】
図２は、デジタルスチルカメラ１００の機能的構成を示すブロック図である。図２において、デジタルスチルカメラ１００は、撮影光学系であるレンズユニット１、絞り２、ＣＣＤ３からなる撮像部２４、撮像回路４、Ａ／Ｄ変換回路５、メモリ６、Ｄ／Ａ変換回路７、画像表示部８、圧縮伸長回路１０、ＣＰＵ１１、ＴＧ１２、ＡＥ・ＡＦ処理回路１３、ＣＣＤドライバ１４、絞り駆動モータ１５、絞り駆動モータ駆動回路１６、光学系駆動モータ１７、光学系駆動モータ駆動回路１８、電池１９、不揮発性メモリであるＥＥＰＲＯＭ２０、ズームスイッチＳＴ等を含む操作ＳＷ２１、閃光発光部２２、補助光発光手段である補助光発光部３０（ＡＦ用の補助光発光部や赤目軽減ランプと兼用できる）、スイッチング回路２３、情報表示部２６、ＧＰＳ装置２７とから構成される。尚、デジタルスチルカメラ１００は、ライトワンス・メモリ９を装着自在となっており、装着した状態で、ライトワンス・メモリ９に対して１度だけ画像情報を記憶し且つ記憶した画像情報を読み出し可能であるが、上書きは不可能となっている。
【００１６】
撮像部２４は、後述する被写体の光学像を取り込むレンズユニット１、レンズユニット１を透過した光束の光量を調節すると共に露光の調節を行う絞り２、レンズユニット１の光路上において結像された被写体の光学像を光電変換するＣＣＤ（Ｃｈａｒｇｅ  Ｃｏｕｐｌｅｄ  Ｄｅｖｉｃｅ）３により構成され、光電変換された画像信号（アナログ信号）を撮像回路４ヘ出力する。
【００１７】
撮像回路４は、ＴＧ１２から入力されるタイミング信号に同期させて、ＣＣＤ３から入力された画像信号の感度補正等の各種画像処理を行って所定の画像信号を生成し、Ａ／Ｄ変換回路５に出力する。Ａ／Ｄ変換回路５は、入力された画像信号をアナログ信号からデジタル信号へ変換し、ＣＰＵ１１の指示によりメモリ６、又はＡＥ・ＡＦ処理回路１３に画像情報を出力する。
【００１８】
メモリ６は、バッファメモリ等から構成され、入力された画像信号を一時的に記憶する。また、メモリ６は、ＣＰＵ１１より画像表示指示を受けると、Ｄ／Ａ変換回路７に画像表示指示された画像情報を出力し、Ｄ／Ａ変換回路７は、入力された画像情報をアナログ変換するとともに、出力表示に適応するよう処理を施して画像表示部８に出力表示する。一方、メモリ６は、後述する所定の条件が成立したときに、ＣＰＵ１１より画像記憶指示を受けると、圧縮伸長回路１０に画像記憶指示された画像情報（たとえばＪＰＥＧ形式で）を出力し、圧縮伸長回路１０は、入力された画像情報に対してライトワンス・メモリ９に出力する。
【００１９】
画像表示部（表示部ともいう）８は、ＴＦＴ（Ｔｈｉｎ  Ｆｉｌｍ  Ｔｒａｎｓｉｓｔｏｒ）等から構成され、Ｄ／Ａ変換回路７から入力された画像信号を出力表示する。なお、表示は画像に限らず、例えば、機能選択するメニュー画面などのテキスト画面であってもよい。
【００２０】
ライトワンス・メモリ９は、半導体メモリ等からなる１回のみ記憶可能なメモリであり、圧縮伸長回路１０から入力された画像情報を記憶する画像情報記憶領域を有する記憶媒体である。
【００２１】
また、ライトワンス・メモリ９は、ＣＰＵ１１より画像読み出し指示を受けると、圧縮伸長回路１０に読み出し指示された画像情報を出力し、圧縮伸長回路１０は、入力された画像情報の伸長処理を行ってメモリ６に出力する。
【００２２】
圧縮伸長回路１０は、メモリ６から入力された画像情報を所定の符号化方式で圧縮する圧縮回路と、読み出し指示された画像情報を画面表示するためにライトワンス・メモリ９から入力された画像情報を復号化して伸長する伸長回路と、からなる。すなわち、圧縮伸長回路１０は、圧縮手段としての機能を有する。
【００２３】
制御手段であるＣＰＵ（Ｃｅｎｔｒａｌ  Ｐｒｏｃｅｓｓｉｎｇ  Ｕｎｉｔ）１１は、ＥＥＰＲＯＭ２０に記憶されている撮影に関わる各種アプリケーションプログラムを図示しないワークエリアに読み出し、当該プログラムに従った撮影処理等の各種処理を実行し、処理結果を画像表示部８、或いは情報表示部２６に表示させる。
【００２４】
ＣＰＵ１１は、レリーズスイッチ２１ａ（図１）の半押しに応じて、ＡＥ・ＡＦ処理回路１３を駆動制御し、得られた測光値より露光条件を決定すると共に、レンズユニット１をＡＦ処理により検出された合焦位置に駆動し、レリーズスイッチ２１ａの全押しに応じて露光処理を実行し、生成された画像信号に画像処理、及びデジタル変換を行ってメモリ６に一時記憶後、所定の条件に応じて、圧縮伸長回路１０により画像情報の圧縮化を行い、ライトワンス・メモリ９に出力する。
【００２５】
ＴＧ（Ｔｉｍｉｎｇ  Ｇｅｎｅｒａｔｏｒ）１２は、所定のタイミング信号を発生して撮像回路４、ＣＰＵ１１、ＣＣＤドライバ１４に出力する。
【００２６】
ＡＥ（Ａｕｔｏ  Ｅｘｐｏｓｕｒｅ：自動露光制御）・ＡＦ（Ａｕｔｏ  Ｆｏｃｕｓ：自動焦点制御）処理回路１３は、適正な露光条件を検出するＡＥ処理を実行するＡＥ処理回路と、合焦位置を検出するＡＦ処理を実行するＡＦ処理回路と、を備えて構成される。各処理は、ＣＰＵ１１からの指示によりＡ／Ｄ変換回路５から入力された画像情報に対して実行される。
【００２７】
ＡＥ処理回路は、ＡＥ処理において、入力された１画面分、若しくは画面内の所定領域の輝度値に対して累積加算等の演算処理を行い、この処理結果から実露光時の適正な露光条件を算出して、ＣＰＵ１１に出力する。一方、ＡＦ処理回路は、ＡＦ処理において、入力された１画面分、若しくは画面内の所定領域を対象としてＡＦ評価値の算出を行い、その算出結果をＣＰＵ１１に出力する。
【００２８】
このＡＦ評価値は、焦点が合うほど大きい値になる特性を有しており、各レンズ位置を横軸に、ＡＦ評価値を縦軸にとりグラフを作成すると、合焦点を頂点とした山が形成される。すなわち、レンズユニット１を移動させながら求めたＡＦ評価値を互いに比較することにより、山の頂点、つまり合焦点を求めることができる。このようにしてＡＦ評価値を求める動作を探索動作という。なお、ＡＦ評価値は、入力された１画面分、若しくは画面内の所定領域に対して画像情報の周波数を分析することにより算出される。周波数分析では、ソフト的に帯域通過フィルタを構成し、この帯域通過フィルタを通過した画像信号強度の積分値を算出して、その算出結果をＡＦ評価値とする。すなわち、ＡＦ評価値は、コントラスト（明暗の差）情報であり、その画像に含まれる特定周波数の強度を求める演算を行うことにより算出される。
【００２９】
ここで、ＣＰＵ１１、ＡＦ処理回路によるＡＦ処理について説明する。ＣＰＵ１１は、駆動手段である光学系駆動モータ駆動回路１８を駆動制御して、レンズユニット１の第２レンズ群を移動させながら、各レンズ位置で漸次ＣＣＤ３により画像信号を生成させる。ＡＥ・ＡＦ処理回路１３は、Ａ／Ｄ変換回路５から入力された画像情報毎にＡＦ評価値を算出し、その比較を行って最大ＡＦ評価値であるレンズ位置を合焦点として検出し、ＣＰＵ１１に出力する。
【００３０】
ＣＣＤドライバ１４は、ＣＰＵ１１からの指示を受けると、ＴＧ１２から入力されるタイミング信号に同期させてＣＣＤ３の駆動及び制御を行う。具体的には、露光調節制御に応じたＣＣＤ３の電荷蓄積時間の制御を実行する。
【００３１】
絞り駆動モータ駆動回路１６は、ＣＰＵ１１からの指示により絞り駆動モータ１５の駆動を制御し、絞り駆動モータ１５は絞り２を駆動する。また、光学系駆動モータ駆動回路１８は、ＣＰＵ１１からの指示により光学系駆動モータ１７の駆動を制御し、光学系駆動モータ１７の駆動力によりレンズユニット１が駆動され、それによりレンズユニット１は所定の位置に移動する。
【００３２】
電池１９は、デジタルスチルカメラ１００の各構成部に電力を供給する電力源であり、例えば、リチウム電池やアルカリ乾電池等が適用される。
【００３３】
ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）２０は、デジタルスチルカメラ１００の撮像に関る各種アプリケーションプログラム、処理プログラム等を記憶する他、後述する情報を記憶可能となっている。
【００３４】
操作ＳＷ（スイッチ）２１は、レリーズスイッチ２１ａや、後述するモード設定ボタン２１ｂ、文字入力ボタン２１ｃ、決定ボタン２１ｄなど、機能を切り替えるモードＳＷ、設定を選択するメニューＳＷ等、各種操作スイッチを備えて構成される。また、各スイッチを操作すると、信号を生成してＣＰＵ１１に出力する。なお、レリーズスイッチ２１ａは、撮影動作に先立ってＡＥ、ＡＦ処理を開始させる半押しレリーズスイッチと、実際の露光処理を開始させる全押しレリーズスイッチと、からなる２段のスイッチから構成されている。
【００３５】
閃光発光部２２は、撮影時に検出された周囲環境の輝度が不足する場合に、被写体にストロボ光を発光する発光部であり、スイッチング回路２３によりその発光タイミングや発光量等が制御される。
【００３６】
検出手段であるＧＰＳ（Ｇｌｏｂａｌ  Ｐｏｓｉｔｉｏｎｉｎｇ  Ｓｙｓｔｅｍ）装置２７は、人工衛星からの電波を受信することで、地球上の位置を測定できる機能を有するものであり、その構成に関しては公知であるので、説明は省略する。尚、ＧＰＳ装置に限らず、現在位置（撮影場所の位置情報）を検出できるものであれば、例えばＰＨＳの基地局からの電波を受信するものや、その他のものを用いることができる。
【００３７】
副制御手段であるＳｕｂ  ＣＰＵ１１ａは、メイン電源が遮断され、制御手段であるＣＰＵ１１に制御されるデジタルスチルカメラ１００の機能全てが停止した後も、ＧＰＳ装置２７からの信号の待ち受けを実行し、所定の条件に応じてＣＰＵ１１を起動させる機能を有する。
【００３８】
次に、本実施の形態にかかるデジタルスチルカメラ１００の動作について、図面を参照して説明する。図３は、デジタルスチルカメラ１００の機能を説明するための図である。図４は、デジタルスチルカメラ１００の制御を示すフローチャート図である。記憶部であるＥＥＰＲＯＭ２０には、テーマパークＴＰの位置（範囲含む）に関する情報が予め入力されているものとする。尚、このテーマパークＴＰ内では、カメラの電源は常時オン状態であり、且つ所定の領域内であるため全ての機能が有効となっているものとする。
【００３９】
まず、制御手段であるＣＰＵ１１は、図４のステップＳ１０１で、ＧＰＳ装置２７及びＳｕｂ  ＣＰＵ１１ａを介して人工衛星Ｓから電波を受信し、デジタルスチルカメラ１００の現在位置を検出する。更にＣＰＵ１１は、ステップＳ１０２で、かかる現在位置を、ＥＥＰＲＯＭ（フラッシュメモリでも良い）２０に記憶された情報から割り出されるテーマパークＴＰの位置と比較して、テーマパークＴＰ内（所定の領域内）であると判断すると、ＣＰＵ１１の制御に基づくデジタルスチルカメラ１００の全機能を有効にしつつ、ステップＳ１０１に戻り、現在位置を確認し続ける。
【００４０】
一方、デジタルスチルカメラ１００がテーマパークＴＰより外部へと持ち出されたような場合、ＣＰＵ１１は、ステップＳ１０２で、テーマパークＴＰ外（所定の領域外）であると判断するので、ステップＳ１０３でメイン電源を遮断し、ＣＰＵ１１の制御に基づくデジタルスチルカメラ１００の全機能を停止させる。それにより不正な使用が制限され、レンタル提供されたデジタルスチルカメラ１００の回収率が増大する。かかる動作でデジタルスチルカメラ１００はスリープに入るが、Ｓｕｂ  ＣＰＵ１１ａとＧＰＳ装置２７には電力が依然として供給され、動作を続行している。
【００４１】
Ｓｕｂ  ＣＰＵ１１ａは、ＣＰＵ１１の代わりに、ステップＳ１０４で、ＧＰＳ装置２７を介して人工衛星Ｓから電波を受信し、デジタルスチルカメラ１００の現在位置を検出する。更にステップＳ１０５で、テーマパークＴＰ外（所定の領域外）であると判断すると、Ｓｕｂ  ＣＰＵ１１ａは、ＣＰＵ１１の制御に基づくデジタルスチルカメラ１００の全機能の停止を続行しつつ、ステップＳ１０４に戻り、現在位置を確認し続ける。
【００４２】
一方、かかるデジタルスチルカメラ１００がテーマパークＴＰ外部より内部へと持ち込まれたような場合、Ｓｕｂ  ＣＰＵ１１ａは、ステップＳ１０５で、テーマパークＴＰ内（所定の領域内）であると判断するので、ステップＳ１０６でメイン電源を投入し、ＣＰＵ１１の制御に基づくデジタルスチルカメラ１００の全機能を有効にする。これにより、例えば昼食のためにデジタルスチルカメラ１００をテーマパークＴＰ外に持ち出したユーザーは、その間デジタルスチルカメラ１００の使用ができなくなるものの、昼食後に再度テーマパークＴＰ内へと持ち込めば、デジタルスチルカメラ１００の使用ができるようになる。尚、その後は、ステップＳ１０１に戻り、ＣＰＵ１１が現在位置を確認する。以降、同様なステップを繰り返す。
【００４３】
図５は、別な実施の形態にかかるデジタルスチルカメラ１００の制御を示すフローチャート図である。本実施の形態にかかる制御は、図４に示す実施の形態に対してステップＳ１０３’、Ｓ１０６’のみが異なる。より具体的には、デジタルスチルカメラ１００がテーマパークＴＰより外部へと持ち出されたような場合、ＣＰＵ１１は、ステップＳ１０２で、テーマパークＴＰ外（所定の領域外）であると判断するので、ステップＳ１０３’で、ＣＰＵ１１の制御に基づく所定の機能のみを有効とする。又、かかるデジタルスチルカメラ１００がテーマパークＴＰ外部より内部へと持ち込まれたような場合、ＣＰＵ１１は、ステップＳ１０５で、テーマパークＴＰ内（所定の領域内）であると判断するので、ステップＳ１０６’で、デジタルスチルカメラ１００の全機能を有効にする。すなわち、上述した実施の形態では、メイン電源の遮断後には、Ｓｕｂ  ＣＰＵ１１ａがＧＰＳ装置２７からの信号に基づいて現在位置を検出していたが、本実施の形態では、デジタルスチルカメラ１００がテーマパークＴＰより外部へと持ち出されたような場合でも、ＣＰＵ１１の制御は続行され、ＧＰＳ装置２７からの信号に基づいて現在位置を検出するため、Ｓｕｂ  ＣＰＵ１１ａは実質的な制御を行わないこととなる。
【００４４】
ここで、所定の機能とは、ＧＰＳ装置２７からの信号に基づいて現在位置を検出する機能の他、画像表示部８における画像表示機能、所定枚数（例えば３枚）の撮影機能、ライトワンス・メモリ９の離脱阻止機能などがあるが、これに限られない。それ以外の点については、上述した実施の形態と同様であるので説明を省略する。
【００４５】
以上のごとく説明した実施の形態において、ＣＰＵ１１又はＳｕｂ  ＣＰＵ１１ａが、デジタルスチルカメラ１００がテーマパークＴＰ外に存在すると判断を行うために用いるものは、ＧＰＳ装置２７からの信号に限らない。例えば、テーマパークＴＰの入出口に、微弱な電波を発信する電波発信機Ｔを設け、一方、デジタルスチルカメラ１００に受信機（不図示）を設け、入出口を通過して退場したら、受信機が電波を受信することでＣＰＵ１１の制御に基づく機能を停止し、入出口を通過して入場したら、再度受信機が電波を受信することで機能停止を解除するようにしても良い。すなわち、デジタルスチルカメラ１００がテーマパークＴＰ外に存在すると判断できるものであれば、ＣＰＵ１１又はＳｕｂ  ＣＰＵ１１ａは、いかなるものも用いることができる。
【００４６】
以上、本発明を実施の形態を参照して説明してきたが、本発明は上記実施の形態に限定して解釈されるべきではなく、適宜変更・改良が可能であることはもちろんである。例えば、所定の領域外とは、テーマパークの一部であっても良く、その他美術館、博物館、コンサート会場など種々の場所が考えられる。又、記憶媒体はライトワンス・メモリに限らずフラッシュメモリであっても良い。カメラは、銀塩カメラでも良く、テーマパーク等でレンタル提供されるものでも良い。
【００４７】
【発明の効果】
本発明によれば、場所に応じて機能の少なくとも一部を制限することができるカメラを提供することができる。
【図面の簡単な説明】
【図１】本発明を適用したカメラの一例であるデジタルスチルカメラｌ００の一実施の形態を示す外観図であり、図１（ａ）はデジタルスチルカメラ１００の前面斜視図、図１（ｂ）は背面斜視図である。
【図２】デジタルスチルカメラ１００の機能的構成を示すブロック図である。
【図３】本実施の形態の機能を説明するための図である。
【図４】本実施の形態にかかるデジタルスチルカメラ１００の制御を示すフローチャート図である。
【図５】別な実施の形態にかかるデジタルスチルカメラ１００の制御を示すフローチャート図である。
【符号の説明】
８  画像表示部
９  ライトワンス・メモリ
１１  ＣＰＵ
２１  操作スイッチ
１００  デジタルスチルカメラ
【図１】
2004153599.tif 000003
【図２】
2004153599.tif 000004
【図３】
2004153599.tif 000005
【図４】
2004153599.tif 000006
【図５】
2004153599.tif 000007